(57)【要約】  スライドベース１０がパネル２を押し出す途中で、脚部１０ａの後端部に設けた押し出し付勢ばね５０の舌片部５１がスライド案内部材８ａの摺動部２０ａから凸形状２１ａに乗り上げるように摺動して強くたわみ、脚部１０ａをシャーシ７内側へ付勢することでＧ＋方向のパネル２の傾きを逆方向に補正する。他方、スライドベース１０がパネル２を引き込む途中で、脚部１０ｂの後端部に設けた収納付勢ばね６０の舌片部６１がスライド案内部材８ｂの摺動部２０ｂから凸形状２１ｂに乗り上げるように摺動して強くたわみ、脚部１０ｂをシャーシ７内側へ付勢することで、パネル２の傾きをＧ＋方向に補正する。
2012131759.tif 000002
【特許請求の範囲】
【請求項１】
本体装置の前面に配置されたパネルと、
一端側が前記パネルの両端に回動自在に連結され、他端側が前記パネルの背面方向に伸びる脚部を一対有し、当該脚部の一方にラックが形成されたスライド部材と、
前記本体装置に回転自在に固定されて前記ラックに噛み合い、駆動装置の駆動力を受けて前記スライド部材を前後方向に駆動して、前記パネルを前記スライド部材との連結部分で回動させながら開閉させるピニオンギアと、
前記スライド部材の前後方向への移動に関わらず前記ピニオンギアより後方になる位置に設けられ、前記ラックの形成された脚部を前記本体装置内側に付勢するパネル押し出し付勢ばねと、
前記スライド部材の前後方向への移動に関わらず前記ピニオンギアより後方になる位置に設けられ、前記ラックの形成された脚部とは反対の脚部を前記本体装置内側に付勢するパネル収納付勢ばねとを備えるパネル駆動装置。
【請求項２】
本体装置またはスライド部材にいずれか一方に、パネル押し出し付勢ばねとパネル収納付勢ばねが設けられ、他方に、前記パネル押し出し付勢ばねと前記パネル収納付勢ばねが当接しながら摺動する摺動部が２箇所設けられ、
前記パネル押し出し付勢ばねが当接する前記摺動部は、前記スライド部材が前方に移動する途中で当該パネル押し出し付勢ばねを押圧する凸形状を有し、
前記パネル収納付勢ばねが当接する前記摺動部は、前記スライド部材が後方に移動する途中で当該パネル収納付勢ばねを押圧する凸形状を有することを特徴とする請求項１記載のパネル駆動装置。
【請求項３】
本体装置に設けられた樹脂製の一対のスライド溝と、
スライド部材の一対の脚部の両外側に形成され、前記スライド溝に係合する一対の曲げ部とを備えることを特徴とする請求項１記載のパネル駆動装置。
【請求項４】
パネル押し出し付勢ばねが当接する摺動部の凸形状とパネル収納付勢ばねが当接する摺動部の凸形状は、パネルの両端方向から見て互いに重ならない位置に配置されたことを特徴とする請求項２記載のパネル駆動装置。
【請求項５】
本体装置に固定され、スライド部材の移動方向に沿って所定間隔で配置された一対のガイドピンと、
前記ガイドピンそれぞれに回転自在に取り付けられた一対のカラーと、
スライド部材の一対の脚部のうちラックの形成された脚部に、前記ラックと平行に形成されて前記一対のカラーを遊嵌するガイド溝とを備えることを特徴とする請求項１記載のパネル駆動装置。
【請求項６】
パネル押し出し付勢ばねとパネル収納付勢ばねはスライド部材に設けられ、それぞれの摺動部は本体装置に設けられることを特徴とする請求項２記載のパネル駆動装置。
【発明の詳細な説明】
【技術分野】
【０００１】
この発明は、パネル下端部を往復駆動させ、パネルを回動させながら開閉するパネル駆動装置に関する。
【背景技術】
【０００２】
パネルを本体装置に対し前後方向に往復運動する機構として、例えば特許文献１に記載された車載用電子機器の前面パネル装置がある。この前面パネル装置は、本体装置にその前後方向に所定間隔を保って設けられた少なくとも２つの筒状体と、これら筒状体に挿入される長孔が設けられたスライド部材と、両筒状体と長孔をガイド手段としてスライド部材を本体装置の前後方向に往復移動する駆動手段と、本体装置の前面に配置された可動ノーズと、この可動ノーズの両側面下部をスライド部材の先端側に回動自在に連結する連結ピンとを備える構成である。そして、前面パネルの往復移動の際に、スライド部材のラトルノイズを抑制する目的で、スライド部材に肉厚部を有する合成樹脂製のスペーサを載置すると共に、このスペーサ上に載置した板ばねの両端部を筒状体にそれぞれ固定し、これら筒状体の間でスペーサの肉厚部を板ばねの下面に圧接させている。【０００３】
同様に、スライド部材のガタを軽減してラトルノイズを抑制する例として特許文献２に記載された液晶ディスプレイ収納装置がある。この液晶ディスプレイ収納装置は、収納シャーシと、収納シャーシの両端に固定された第１のシャフト対と、第１のシャフト対に摺動可能に架設されたガイドサポートと、ガイドサポートの両端に支持された一対のシャフトガイドと、液晶ディスプレイを搭載した液晶搭載部と、液晶搭載部を一端部において回動可能に支持したテーブルと、テーブルの両端に第１のシャフト対と平行に固定され、かつ一端がシャフトガイドにそれぞれ摺動可能に挿入された第２のシャフト対と、テーブルを第１のシャフト対、シャフトガイドおよびガイドサポートを介して第２のシャフト対に沿ってスライド移動させる駆動機構とを備える構成である。そして、液晶搭載部を支持したテーブルを第１のシャフト対、シャフトガイドおよびガイドサポートを介し、収納シャーシに支持された第２のシャフト対に沿って自動的にスライド移動させている。
【先行技術文献】
【特許文献】
【０００４】
【特許文献１】特開２００４−２１０１９１号公報
【特許文献２】特開平５−１５３５２６号公報
【発明の概要】
【発明が解決しようとする課題】
【０００５】
上記特許文献１の機構では、スライド部材の摺動抵抗は上がるが、筒状体と長孔とのクリアランスは無くなっていないため、このクリアランスの分だけスライド部材が傾くことができる。パネルを前後方向に往復移動するときには、スライド部材の片側、駆動手段に係合した部分が先に進み、もう片側は従動して進むので、パネルがクリアランスの分だけ傾いた姿勢になる。よって、パネルが開ききった状態ではパネルの左右方向で傾きを生じ、パネルが閉じきった状態ではパネルの左右方向でパネルと本体装置の意匠面との隙間が異なることになり、高級感を大きく損なってしまうという課題があった。【０００６】
また、特許文献１の機構では、２つの筒状体の間でスペーサの肉厚部を板ばねの下面に圧接させているので、静止状態から動き始めるときに静摩擦が働き、一方、動いているときには動摩擦が働くことになる。すると、動き始めの動力と動いているときの動力には大きな差が生じるため、ラトルノイズ抑制用の所定の摺動抵抗を得るためには、この所定の摺動抵抗よりはるかに大きな駆動力が必要となる課題もあった。【０００７】
他方、上記特許文献２の機構は、テーブル、第１および第２のシャフト対、ガイドサポート、シャフトガイドなどの部材を要するため、機構が複雑であり高価なものとなってしまう課題があった。【０００８】
この発明は、上記のような課題を解決するためになされたもので、簡単な機構によって、パネルを収納した状態および開ききった状態でのパネルの傾きを生じにくくすることを目的とする。
【課題を解決するための手段】
【０００９】
この発明のパネル駆動装置は、本体装置の前面に配置されたパネルと、一端側がパネルの両端に回動自在に連結され、他端側がパネルの背面方向に伸びる脚部を一対有し、当該脚部の一方にラックが形成されたスライド部材と、本体装置に回転自在に固定されてラックに噛み合い、駆動装置の駆動力を受けてスライド部材を前後方向に駆動して、パネルをスライド部材との連結部分で回動させながら開閉させるピニオンギアと、スライド部材の前後方向への移動に関わらずピニオンギアより後方になる位置に設けられ、ラックの形成された脚部を本体装置内側に付勢するパネル押し出し付勢ばねと、スライド部材の前後方向への移動に関わらずピニオンギアより後方になる位置に設けられ、ラックの形成された脚部とは反対の脚部を本体装置内側に付勢するパネル収納付勢ばねとを備えるものである。
【発明の効果】
【００１０】
この発明によれば、スライド部材の前後方向への移動に関わらずピニオンギアより後方になる位置にパネル押し出し付勢ばねおよびパネル収納付勢ばねを設けることにより、スライド部材にガイドガタがあった場合においても、パネルを開ききった状態ではパネル押し出し付勢ばねがスライド部材の姿勢を安定させ、パネルを収納した状態ではパネル収納付勢ばねがスライド部材の姿勢を安定させるので、簡単な機構によってパネル静止時の姿勢の傾きを生じにくくすることができる。
【図面の簡単な説明】
【００１１】
【図１】この発明の実施の形態１に係るパネル駆動装置の外観を示す斜視図であり、パネルが開ききった状態である。
【図２】実施の形態１に係るパネル駆動装置の側面図であり、パネルが開ききった状態を示す。
【図３】実施の形態１に係るパネル駆動装置の側面図であり、パネルが収納された状態を示す。
【図４】実施の形態１に係るパネル駆動装置の主要構成部品を示す背面側からの斜視図である。
【図５】実施の形態１に係るパネル駆動装置のスライドベースの一方の脚部とスライド案内部材を抜粋した斜視図である。
【図６】図５に示す脚部とスライド案内部材の分解斜視図である。
【図７】実施の形態１に係るパネル駆動装置のスライドベースのもう一方の脚部とスライド案内部材を抜粋した斜視図である。
【図８】実施の形態１に係るパネル駆動装置の動作を表す図であり、パネル収納状態を示す。
【図９】実施の形態１に係るパネル駆動装置の動作を表す図であり、パネルを開く途中の状態を示す。
【図１０】実施の形態１に係るパネル駆動装置の動作を表す図であり、パネルが開ききる直前の状態を示す。
【図１１】実施の形態１に係るパネル駆動装置の動作を表す図であり、パネル開状態を示す。
【図１２】実施の形態１に係るパネル駆動装置の動作を表す図であり、パネルを収納する途中の状態を示す。
【図１３】実施の形態１に係るパネル駆動装置の動作を表す図であり、パネルを収納しきる直前の状態を示す。
【発明を実施するための形態】
【００１２】
以下、この発明をより詳細に説明するために、この発明を実施するための形態について、添付の図面に従って説明する。
実施の形態１．
図１に示す外観斜視図および図２に示す側面図において、パネル駆動装置１はパネル２と本体装置３からなり、この本体装置３はパネル収納部４とシャーシ７とから構成されている。本体装置３の前面に設けられたパネル収納部４には、音楽ＣＤ（Ｃｏｍｐａｃｔ  Ｄｉｓｃ）およびＤＶＤ（Ｄｉｇｉｔａｌ  Ｖｅｒｓａｔｉｌｅ  Ｄｉｓｃ）等の記録媒体を本体装置３から出し入れするメディア挿入口５と、後述するスライドベース１０が出入りする開口部６とが開設されている。
また、パネル収納部４には、本体装置３の前方に開くことのできるパネル２が収納される。図３に示すパネル駆動装置１の側面図のように、パネル収納状態では、パネル２がパネル収納部４に起立状態で収納されている。一方、記録媒体を本体装置３から出し入れする際には、図１および図２に示すように、パネル２の下端部を前方に押し出しつつ回動させ開き切った状態にしてメディア挿入口５を露出させる（パネル開状態）。
【００１３】
次に、上記のようなパネル駆動装置１において、パネル２を開閉する機構について、図１〜図７を参照しながら説明する。図４は、パネル駆動装置１の主要構成部品を示す背面側から見た斜視図であり、そのうちのスライドベース１０の一方の脚部１０ａとスライド案内部材８ａを抜粋して図５に示し、分解斜視図を図６に示す。また、パネル２の背面側から見たスライドベース１０の他方の脚部１０ｂとスライド案内部材８ｂを、図７に抜粋して示す。
【００１４】
パネル２の背面には、一対の脚部１０ａ，１０ｂを有するコの字型のスライドベース１０が設けられている。この脚部１０ａ，１０ｂの一端には係合穴がそれぞれ形成され、パネル２の両側面の下部にそれぞれ形成された突起に回転自在に連結して連結部１３ａ，１３ｂを構成している。
【００１５】
さらに、脚部１０ａ，１０ｂの両外側には曲げ部１１ａ，１１ｂが設けられている。一方、脚部１０ａ，１０ｂの外側に対面して、樹脂製のスライド案内部材８ａ，８ｂが設けられている。このスライド案内部材８ａ，８ｂはシャーシ７にそれぞれ固定されており、スライド案内部材８ａ，８ｂそれぞれの内側面には前後方向に伸びたスライド溝９ａ，９ｂが形成されている。そして、スライド溝９ａ，９ｂに曲げ部１１ａ，１１ｂが係合し、これにより、スライドベース１０はシャーシ７に対し高さ方向が規制される。
【００１６】
また、一方の脚部１０ａの内側部にはラック１４が形成されている。このラック１４は、シャーシ７に回転自在に取り付けられたピニオンギア４１（図８に示す）に噛み合い、図示しない駆動装置（例えば、モータおよび減速機構）によりピニオンギア４１が回転駆動してスライドベース１０を前後方向に移動させる。
【００１７】
さらに、この脚部１０ａには、ラック１４に平行するように、前後方向に伸びたガイド溝１２が形成されている。このガイド溝１２には、シャーシ７側に固定されたスライドベースガイド機構が係合されている。スライドベースガイド機構は、スライドベース１０を前後方向にガイドする機構であり、シャーシ７に固定された一対のガイドピン３０ａ，３０ｂと、このガイドピン３０ａ，３０ｂに挿入されて回転自在に取り付けされた一対のカラー４０ａ，４０ｂと、カラー４０ａ，４０ｂを脚部１０ａ側に付勢するカラー付勢ばね３１とから構成される。ガイドピン３０ａ，３０ｂは、スライドベース１０の移動方向に所定間隔を保って配置され、シャーシ７に固定されている。このガイドピン３０ａ，３０ｂにはカラー付勢ばね３１の両端部の穴がそれぞれ挿入され、このカラー付勢ばね３１の上部には金属製のカラー４０ａ，４０ｂがガイドピン３０ａ，３０ｂに対して回転自在に取り付けられている。
【００１８】
金属製のカラー４０ａ，４０ｂは、上部がスライドベース１０のガイド溝１２の幅よりも若干小径の小円筒部４２と、下部がガイド溝１２の幅よりも大径の大円筒部４３と、この小円筒部４２と大円筒部４３との間をつなぎ下部に向かって径の大きくなるテーパ部４４とで構成されている。このカラー４０ａ，４０ｂは、シャーシ７に固定されたカラー付勢ばね３１により上側に付勢された状態で、スライドベース１０のガイド溝１２に係合している。
カラー付勢ばね３１は、スライド案内部材８ａ，８ｂにより高さが規制されたスライドベース１０とカラー４０ａ，４０ｂとの高さのばらつきを吸収できる程度の付勢力で、カラー４０ａ，４０ｂをスライドベース１０に付勢している。そのため、スライドベース１０は、スライド案内部材８ａ，８ｂのスライド溝９ａ，９ｂとスライドベースガイド機構により前後方向のみ移動可能となる。
【００１９】
また、図４〜図６に示すように、一方の脚部１０ａの後部には、スライド案内部材８ａを付勢する舌片部５１を有する押し出し付勢ばね５０が固定されている。もう一方の脚部１０ｂの後部には、スライド案内部材８ｂを付勢する舌片部６１を有する収納付勢ばね６０が設けられている。なお、詳細は後述するが、押し出し付勢ばね５０および収納付勢ばね６０は、スライドベース１０が前後方向に移動してもピニオンギア４１より後方になる位置に配置されている。
【００２０】
一方、スライド案内部材８ａにおいて押し出し付勢ばね５０が対面する位置には、この押し出し付勢ばね５０の舌片部５１が当接する摺動部２０ａが設けられている。この摺動部２０ａの中央付近を凸形状２１ａにして、スライドベース１０がパネル開状態の位置に移動するときに舌片部５１が凸形状２１ａに乗り上げるように摺動することにより、舌片部５１のたわみ度合いを強める。
また、図７に示すように、スライド案内部材８ｂにおいて収納付勢ばね６０が対面する位置には、この収納付勢ばね６０の舌片部６１が当接する摺動部２０ｂが設けられている。この摺動部２０ｂの後方を凸形状２１ｂにして、スライドベース１０がパネル収納状態の位置に移動するときに舌片部６１が凸形状２１ｂに乗り上げるように摺動することにより、舌片部６１のたわみ度合いを強める。
【００２１】
なお、金属部品同士の摺動では異音および金属くずが発生しやすいが、この例ではスライド案内部材８ａ，８ｂを樹脂製、押し出し付勢ばね５０および収納付勢ばね６０を金属製とすることで、舌片部５１，６１が摺動部２０ａ，２０ｂおよび凸形状２１ａ，２１ｂを摺動中に異音および金属くずが発生しない。
【００２２】
また、図１〜図４に示すように、パネル２の両側面の上部にはパネルピン３４ａ，３４ｂが形成され、背面の上部両端には当接凸部３５ａ，３５ｂが形成されている。一方、パネル収納部４の両内側面には、上下方向に伸びたパネル溝３３ａ，３３ｂが設けられ、このパネル溝３３ａ，３３ｂの下側には凸形状の回動ストッパ３６ａ，３６ｂが設けられ、上側には凸形状の収納ストッパ３７ａ，３７ｂが設けられている。また、パネル溝３３ａ，３３ｂにはパネルピン３４ａ，３４ｂが摺動自在に係合されている。
なお、回動ストッパ３６ａおよび収納ストッパ３７ａは、図面上では隠れて見えない位置にあるため、図示していない。
【００２３】
図３に示すパネル収納状態では、スライドベース１０はシャーシ７内に後退して収納された状態にあり、パネル２のパネルピン３４ａ，３４ｂはパネル溝３３ａ，３３ｂの上端部に位置し、当接凸部３５ａ，３５ｂは収納ストッパ３７ａ，３７ｂに当接している。この状態からスライドベース１０を前進させると、パネル２の下部の連結部１３ａ，１３ｂが前進する一方で上部のパネルピン３４ａ，３４ｂはパネル溝３３ａ，３３ｂに沿って下方に移動するため、パネル２は連結部１３ａ，１３ｂを中心に回動する。そして、図２に示すように、パネル２が回動しきったときにパネル２の当接凸部３５ａ，３５ｂがパネル収納部４の回動ストッパ３６ａ，３６ｂに当接して、回動が停止すると共にスライドベース１０の前進も停止する。この状態がパネル開状態である。
【００２４】
次に、上記のようなパネル駆動装置１の動作を説明する。
図８〜図１３はパネル駆動装置１の動作を表し、図８はパネル収納状態、図９はパネル２を開く途中の状態、図１０はパネル２が開ききる直前の状態、図１１はパネル２が開ききったパネル開状態、図１２はパネル２を収納する途中の状態、図１３はパネル２を収納しきる直前の状態である。なお説明の便宜上、図８〜図１３ではパネル収納部４とシャーシ７の天面の図示を省略し、本体装置３の内部を露出させている。
【００２５】
パネル２がパネル収納部４に収納されたパネル収納状態において、図８に示すように、押し出し付勢ばね５０の舌片部５１を若干たわんだ状態でスライド案内部材８ａの摺動部２０ａに当接させる。他方の収納付勢ばね６０の舌片部６１は、スライド案内部材８ｂの摺動部２０ｂの凸形状２１ｂに当接しているのでこの凸形状２１ｂに押圧されて強くたわんだ状態となる。また、収納付勢ばね６０がスライドベース１０をシャーシ７の内側方向に付勢しているので、カラー４０ａ，４０ｂはガイド溝１２の片側に寄った状態となる。
【００２６】
図３および図８に示すようなパネル収納状態から、パネル２を前方に押し出して開くために、図示しない駆動装置によりピニオンギア４１を矢印方向に回転させ、これに噛み合ったラック１４を前方へ押し出す。このとき、ガイド溝１２の片側に寄ったカラー４０ａ，４０ｂが回転してスライドベース１０の前方への移動をガイドするが、スライドベース１０のガイド溝１２とカラー４０ａ，４０ｂとの勘合ガタにより、ラック１４側の脚部１０ａの方がもう一方の脚部１０ｂより若干先に進むため、パネル２は図９に示すようにＧ＋方向に傾いた状態で前進することになる。
【００２７】
さらにスライドベース１０がパネル開方向に進むと、図１０に示すように、パネル２が開ききるよりも手前の位置から、スライドベース１０に固定された押し出し付勢ばね５０の舌片部５１がスライド案内部材８ａの摺動部２０ａの凸形状２１ａに乗り上げるように摺動する。舌片部５１は若干たわみながら摺動部２０ａに当接して摺動しているが、凸形状２１ａの部分でより一層たわむことでスライドベース１０をＦ１方向に付勢する。この付勢により、パネル２は、図１０に示すようにＧ＋方向に傾いた状態からＧ−方向に強制されながら回動し、その後、図２に示すとおりパネル２の背面上部に設けられた当接凸部３５ａ，３５ｂがパネル収納部４に設けられた回動ストッパ３６ａ，３６ｂに当接して、パネル２の回動が完了し、図１，図２および図１１に示すパネル開状態となる。
【００２８】
以上のパネル押し出し動作において、ガイド溝１２の勘合ガタ（スライドベース１０のガイドガタ）があっても押し出し付勢ばね５０がスライドベース１０の姿勢を安定させるので、パネル開状態ではパネル２の姿勢に傾きを生じにくくできる。
また、押し出し付勢ばね５０の舌片部５１はパネル収納状態でも若干たわんだ状態にしているので、スライド案内部材８ａの凸形状２１ａと当接するときの衝撃を無くし、振動および異音を防止することができる。
また、凸形状２１ａの始まりを緩やかなテーパ形状とすることで、パネル２のＧ−方向への補正を緩やかに行うことができるため、違和感の無いパネル押し出し動作ができるようになる。
さらに、図８に示すように、凸形状２１ａと凸形状２１ｂとは、パネル２の両端方向から見て互いに重ならないように配置されているので、中間位置Ａでは押し出し付勢ばね５０および収納付勢ばね６０のどちらも付勢力が最大にならず、パネル押し出し動作中の摺動抵抗を減らすことができる。
【００２９】
続いて、パネル２が開ききった状態（図１１）から収納する場合について説明すると、図示しない駆動装置によりピニオンギア４１をパネル２の押し出し動作とは逆に回転させ、これに噛み合ったラック１４を後方、即ち本体装置３内に引き込む。このとき、スライドベース１０のガイド溝１２とカラー４０ａ，４０ｂとの嵌合ガタにより、ラック１４側の脚部１０ａの方がもう一方の脚部１０ｂより若干先に進むため、パネル２は図１２に示すようにＧ−方向に傾いた状態で引き込まれることになる。
【００３０】
さらにスライドベース１０がパネル閉方向に進むと、図１３に示すように、パネル２が閉じきるよりも手前の位置から、スライドベース１０に固定された収納付勢ばね６０の舌片部６１がスライド案内部材８ｂの摺動部２０ｂの凸形状２１ｂに乗り上げるように摺動する。舌片部６１は若干たわみながら摺動部２０ｂに当接して摺動しているが、凸形状２１ｂの部分でより一層たわむことでスライドベース１０をＦ２方向に付勢する。この付勢により、パネル２は、図１３に示すようにＧ−方向に傾いた状態からＧ＋方向に強制されながら回動し、その後、図３に示すとおりパネル２の背面上部に設けられた当接凸部３５ａ，３５ｂがパネル収納部４に設けられた収納ストッパ３７ａ，３７ｂに当接して、パネル２の収納が完了し、図３および図８に示すパネル収納状態となる。
【００３１】
以上のパネル収納動作において、ガイド溝１２の勘合ガタがあっても収納付勢ばね６０がスライドベース１０の姿勢を安定させるので、パネル収納状態ではパネル２の姿勢に傾きを生じにくくできる。このため、パネル２の左右でパネル２とパネル収納部４（意匠面になる）との隙間が同程度になり、高級感を損なうことがない。
また、収納付勢ばね６０の舌片部６１はパネル開状態でも若干たわんだ状態にしているので、スライド案内部材８ｂの凸形状２１ｂと当接するときの衝撃を無くし、振動および異音を防止することができる。
また、凸形状２１ｂの始まりを緩やかなテーパ形状とすることで、パネル２のＧ＋方向への補正を緩やかに行うことができるため、違和感の無いパネル収納動作ができるようになる。
さらに、上述したように凸形状２１ａと凸形状２１ｂが互いに重ならない中間位置Ａ（図８）では、押し出し付勢ばね５０および収納付勢ばね６０のどちらも付勢力が最大にならず、パネル収納動作中の摺動抵抗を減らすことができる。
【００３２】
なお、上述したように、押し出し付勢ばね５０の舌片部５１がスライド案内部材８ａの凸形状２１ａと当接していない状態（図８、図９、図１３）でも、摺動部２０ａに当接させて、スライドベース１０に摺動抵抗が得られる程度にたわませる構成とする。
先立って説明した特許文献１に記載されているような、スライド部材にスペーサを介して板ばねを圧接させる従来の摩擦機構では、静摩擦と動作摩擦との摩擦係数の大きな差に起因して、静止状態からスライド部材を動かすための駆動力と動作中の駆動力との差が大きくなっていた。そのため、従来の構成をパネル駆動装置１に適用した場合には、パネル２を動かすために必要以上の駆動力を必要とし、図示しない駆動装置として高出力モータを採用するなど、高価な部品が必要となる。
【００３３】
これに対し、本実施の形態１では一対のカラー４０ａ，４０ｂを用いた摩擦機構にすることで、押し出し付勢ばね５０の付勢力を受け止める部品が回転自在なカラー４０ａ，４０ｂとなり、カラー４０ａ，４０ｂとガイド溝１２との間に生じる摩擦が転がり摩擦となる。従って、スライドベース１０の静止状態から動かすための駆動力と動作中の駆動力との変化量が少なくなり、パネル２を動かすための駆動装置として高出力モータを採用する必要は無くなり、安価なパネル駆動装置１が実現できる。
また、金属製のカラー４０ａ，４０ｂとスライドベース１０のガイド溝１２とが常に押し出し付勢ばね５０の付勢力により片側に寄せられているため、カラー４０ａ，４０ｂとガイド溝１２との隙間およびカラー４０ａ，４０ｂとガイドピン３０ａ，３０ｂとの隙間が無くなり、振動によるラトルノイズが無くなる。
【００３４】
さらに、押し出し付勢ばね５０にシャーシアース用の舌片部５２を形成して、この舌片部５２をシャーシ７に接地すると共に摺動抵抗を得るようにしてもよい。この舌片部５２に加えて、または舌片部５２に代えて、収納付勢ばね６０にシャーシアース用の舌片部６２を形成して、この舌片部６２をシャーシ７に接地すると共に摺動抵抗を得るようにしてもよい。
【００３５】
以上より、実施の形態１によれば、パネル駆動装置１は、本体装置３の前面に配置されたパネル２と、一端側が連結部１３ａ，１３ｂをなしパネル２の両端に回転自在に連結され、他端側がパネル２の背面方向に伸びる脚部１０ａ，１０ｂを一対有し、一方の脚部１０ａにラック１４が形成されたスライドベース１０と、本体装置３に回転自在に固定されてラック１４に噛み合い、駆動装置（不図示）の駆動力を受けてスライドベース１０を前後方向に駆動して、パネル２を連結部１３ａ，１３ｂで回動させながら開閉させるピニオンギア４１と、ラック１４の形成された脚部１０ａの、スライドベース１０の前後方向への移動に関わらずピニオンギア４１より後方になる位置に固定され、スライドベース１０を本体装置３内側に付勢する押し出し付勢ばね５０と、ラック１４の形成された脚部１０ａとは反対の脚部１０ｂの、スライドベース１０の前後方向への移動に関わらずピニオンギア４１より後方になる位置に固定され、スライドベース１０を本体装置３内側に付勢する収納付勢ばね６０とを備えるように構成した。このため、スライドベース１０にガイドガタがあった場合においても、パネル２を開ききった状態では押し出し付勢ばね５０がスライドベース１０の姿勢を安定させ、パネル２を収納しきった状態では収納付勢ばね６０がスライドベース１０の姿勢を安定させることができる。よって、簡単な機構でパネル２が静止しているときの姿勢の傾きを生じにくくすることができる。また、パネル２を収納しきった状態において、意匠面との隙間がパネル左右で同じ程度になるので、高級感を損なうこともない。
【００３６】
また、実施の形態１によれば、パネル駆動装置１は、本体装置３に固定され、押し出し付勢ばね５０および収納付勢ばね６０が当接しながら移動する摺動部２０ａ，２０ｂが形成された一対のスライド案内部材８ａ，８ｂを備え、押し出し付勢ばね５０が当接する一方の摺動部２０ａは、スライドベース１０が前方に移動する途中で押し出し付勢ばね５０を押圧する凸形状２１ａを有し、収納付勢ばね６０が当接するもう一方の摺動部２０ｂは、スライドベース１０が後方に移動する途中で収納付勢ばね６０を押圧すると凸形状２１ｂを有するように構成した。このため、パネル押し出し動作中および収納動作中に、押し出し付勢ばね５０および収納付勢ばね６０がスライド案内部材８ａ，８ｂの摺動部２０ａ，２０ｂを摺動することで、安定的な摺動抵抗を得ることができる。加えて、パネル２が開ききる手前の位置から押し出し付勢ばね５０が強くたわんで最大付勢力が働くので、開ききった状態でパネル２が傾くことがない。また、パネル２が収納しきる手前の位置から収納付勢ばね６０が強くたわんで最大付勢力が働くので、収納した状態でパネル２が傾くことがない。
【００３７】
また、実施の形態１によれば、パネル駆動装置１は、一対の樹脂製のスライド案内部材８ａ，８ｂそれぞれに形成されたスライド溝９ａ，９ｂおよび凸形状２１ａ，２１ｂと、スライドベース１０の一対の脚部１０ａ，１０ｂの両外側に形成され、スライド溝９ａ，９ｂに係合する一対の曲げ部１１ａ，１１ｂとを備え、さらに、脚部１０ａには押し出し付勢ばね５０が取り付けられ、脚部１０ｂには収納付勢ばね６０が取り付けられた構成とした。このため、曲げ部１１ａ，１１ｂとスライド溝９ａ，９ｂが係合して高さを規制しながら押し出し付勢ばね５０および収納付勢ばね６０が摺動部２０ａ，２０ｂおよび凸形状２１ａ，２１ｂを摺動することになり、安定的な摺動抵抗を得ながら確実にラトルノイズを抑制できる。
【００３８】
また、実施の形態１によれば、一対のスライド案内部材８ａ，８ｂそれぞれに形成された凸形状２１ａ，２１ｂは、パネル２の両端方向から見て互いに重ならない位置に配置するようにした。このため、スライドベース１０の前後方向の移動中に凸形状２１ａ，２１ｂの重ならない中間位置Ａでは押し出し付勢ばね５０および収納付勢ばね６０のどちらも最大付勢力が働かないようになり、動作中の摺動抵抗を減らすことができる。
【００３９】
また、実施の形態１によれば、パネル駆動装置１は、本体装置３に固定され、スライドベース１０の移動方向に沿って所定間隔で配置された一対のガイドピン３０ａ，３０ｂと、ガイドピン３０ａ，３０ｂそれぞれに回転自在に取り付けられた一対のカラー４０ａ，４０ｂと、スライドベース１０の脚部１０ａにラック１４と平行に形成されて一対のカラー４０ａ，４０ｂを遊嵌するガイド溝１２とを備えるように構成した。このため、スライドベース１０のガイド溝１２とカラー４０ａ，４０ｂとの間に生じる摩擦が転がり摩擦となり、スライドベース１０の動作開始時の駆動力と動作中の駆動力との差が小さくできるので、高出力の駆動装置（不図示）が不要である。よって、安価なパネル駆動装置１を実現できる。
【００４０】
なお、実施の形態１に係るパネル駆動装置１は、押し出し付勢ばね５０および収納付勢ばね６０の付勢力によりスライドベース１０をシャーシ７の内側へ付勢することができればよいため、押し出し付勢ばね５０および収納付勢ばね６０の位置と摺動部２０ａ，２０ｂの位置を逆にした構成であってもよい。具体的には、押し出し付勢ばね５０と収納付勢ばね６０をシャーシ７のスライド案内部材８ａ，８ｂ上に固定して、スライドベース１０の側面（摺動部となる）を摺動する構成にする。この構成であっても、あるいは上記実施の形態１の構成であっても、押し出し付勢ばね５０および収納付勢ばね６０を設ける位置が、スライドベース１０の前後方向への移動に関わらずピニオンギア４１より後方になる位置である点は変わらない。
【００４１】
上記以外にも、本願発明はその発明の範囲内において、実施の形態の任意の構成要素の変形、もしくは実施の形態の任意の構成要素の省略が可能である。
【産業上の利用可能性】
【００４２】
以上のように、この発明に係るパネル駆動装置は、スライド部材の後端部に付勢ばねを設けて、スライド部材を本体装置内側方向に付勢してガイドガタに起因するパネルの傾きを補正するようにしたので、パネル下端部を回動させながら開閉するナビゲーション装置、オーディオ装置などの情報機器のパネル駆動装置に用いるのに適している。
【符号の説明】
【００４３】
１  パネル駆動装置、２  パネル、３  本体装置、４  パネル収納部、５  メディア挿入口、６  開口部、７  シャーシ、８ａ，８ｂ  スライド案内部材、９ａ，９ｂ  スライド溝、１０  スライドベース（スライド部材）、１０ａ，１０ｂ  脚部、１１ａ，１１ｂ  曲げ部、１２  ガイド溝、１３ａ，１３ｂ  連結部、１４  ラック、２０ａ，２０ｂ  摺動部、２１ａ，２１ｂ  凸形状、３０ａ，３０ｂ  ガイドピン、３１  カラー付勢ばね、  ３３ａ，３３ｂ  パネル溝、３４ａ，３４ｂ  パネルピン、３５ａ，３５ｂ  当接凸部、  ３６ａ，３６ｂ  回動ストッパ、３７ａ，３７ｂ  収納ストッパ、４０ａ，４０ｂ  カラー、４１  ピニオンギア、４２  小円筒部、４３  大円筒部、４４  テーパ部、５０  押し出し付勢ばね（パネル押し出し付勢ばね）、５１，５２，６１，６２  舌片部、６０  収納付勢ばね（パネル収納付勢ばね）。
【図１】
2012131759.tif 000003
【図２】
2012131759.tif 000004
【図３】
2012131759.tif 000005
【図４】
2012131759.tif 000006
【図５】
2012131759.tif 000007
【図６】
2012131759.tif 000008
【図７】
2012131759.tif 000009
【図８】
2012131759.tif 000010
【図９】
2012131759.tif 000011
【図１０】
2012131759.tif 000012
【図１１】
2012131759.tif 000013
【図１２】
2012131759.tif 000014
【図１３】
2012131759.tif 000015
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
本体装置の前面に配置されたパネルと、
一端側が前記パネルの両端に回動自在に連結され、他端側が前記パネルの背面方向に伸びる脚部を一対有し、当該脚部の一方にラックが形成されたスライド部材と、
前記本体装置に回転自在に固定されて前記ラックに噛み合い、駆動装置の駆動力を受けて前記スライド部材を前後方向に駆動して、前記パネルを前記スライド部材との連結部分で回動させながら開閉させるピニオンギアと、
前記スライド部材の前後方向への移動に関わらず前記ピニオンギアより後方になる位置に設けられ、前記ラックの形成された脚部を前記本体装置内側に付勢するパネル押し出し付勢ばねと、
前記スライド部材の前後方向への移動に関わらず前記ピニオンギアより後方になる位置に設けられ、前記ラックの形成された脚部とは反対の脚部を前記本体装置内側に付勢するパネル収納付勢ばねとを備えるパネル駆動装置。
【請求項２】
本体装置またはスライド部材にいずれか一方に、パネル押し出し付勢ばねとパネル収納付勢ばねが設けられ、他方に、前記パネル押し出し付勢ばねが当接しながら摺動する摺動部と前記パネル収納付勢ばねが当接しながら摺動する摺動部とが設けられ、
前記パネル押し出し付勢ばねが当接する前記摺動部は、前記スライド部材が前方に移動する途中で当該パネル押し出し付勢ばねを押圧する凸形状を有し、
前記パネル収納付勢ばねが当接する前記摺動部は、前記スライド部材が後方に移動する途中で当該パネル収納付勢ばねを押圧する凸形状を有することを特徴とする請求項１記載のパネル駆動装置。
【請求項３】
本体装置またはスライド部材にいずれか一方に、パネル押し出し付勢ばねとパネル収納付勢ばねが設けられ、他方に、前記パネル押し出し付勢ばねが当接しながら摺動する摺動部と前記パネル収納付勢ばねが当接しながら摺動する摺動部とが設けられ、
前記パネル押し出し付勢ばねが当接する前記摺動部は、前方部が後方部に比べて前記パネル押し出し付勢ばねを押圧する方向に凸形状を有し、
前記パネル収納付勢ばねが当接する前記摺動部は、後方部が前方部に比べて前記パネル収納付勢ばねを押圧する方向に凸形状を有することを特徴とする請求項１記載のパネル駆動装置。
【請求項４】
本体装置に設けられた樹脂製の一対のスライド溝と、
スライド部材の一対の脚部の両外側に形成され、前記スライド溝に係合する一対の曲げ部とを備えることを特徴とする請求項１記載のパネル駆動装置。
【請求項５】
パネル押し出し付勢ばねが当接する摺動部の凸形状とパネル収納付勢ばねが当接する摺動部の凸形状は、パネルの両端方向から見て互いに重ならない位置に配置されたことを特徴とする請求項２記載のパネル駆動装置。
【請求項６】
本体装置に固定され、スライド部材の移動方向に沿って所定間隔で配置された一対のガイドピンと、
前記ガイドピンそれぞれに回転自在に取り付けられた一対のカラーと、
スライド部材の一対の脚部のうちラックの形成された脚部に、前記ラックと平行に形成されて前記一対のカラーを遊嵌するガイド溝とを備えることを特徴とする請求項１記載のパネル駆動装置。
【請求項７】
パネル押し出し付勢ばねとパネル収納付勢ばねはスライド部材に設けられ、それぞれの摺動部は本体装置に設けられることを特徴とする請求項２記載のパネル駆動装置。
【国際調査報告】
2012131759.tif 000016
2012131759.tif 000017